(57)【要約】【課題】旋回流形成方式の排水トラップ内の清掃を容易に行うことができるようにする。【解決手段】浴槽３内の浴槽水が排水トラップ１０の流入口２８及び環状水路２９を経て受入室２０内に流入し、旋回流を形成する。受入室２０内の水位は次第に上昇し、ヘアキャッチャー１７あるいはさらに排水枡６が旋回流に浸水した状態となる。これにより、排水枡６の内面やヘアキャッチャーに付着しているゴミや毛髪がこすり落とされて、ヘアキャッチャー１７の中央部に集められる。受入室２０のアウターハウジング２１内の下部に、スロート部３５付きのインナーハウジング３０を着脱自在に設置し、環状水路２９を構成する。【選択図】図４
2009121183.tif 000002
【特許請求の範囲】
【請求項１】
洗い場排水の受入口を上部に有すると共に、浴槽排水を浴槽排水流入口から略接線方向に受け入れてトラップ内で旋回流を形成させる略円筒形の受入室を有する排水トラップにおいて、
該受入室の周壁を構成する円筒形のアウターハウジングと、該アウターハウジングの下部の内周に沿って設けられ、該アウターハウジングとの間に該受入室の周方向に延在する環状水路を形成しているインナーハウジングとを備えており、
前記浴槽排水流入口は該環状水路に浴槽排水を流入させるように設けられており、
該インナーハウジングに、該環状水路内の水を受入室内に流出させる開口が設けられており、
該インナーハウジングは、前記受入口を通って該アウターハウジングに対し着脱可能とされていることを特徴とする排水トラップ。
【請求項２】
請求項１において、該受入室の底部の中心部に、該受入室内の水を下方に流出させるための、該受入室の内径よりも小さい口径の筒状の流出口部材を設けたことを特徴とする排水トラップ。
【請求項３】
請求項２において、前記受入室の下側に、水を排水口に導くための導水室が設けられ、
該流出口部材の下部は、前記導水室に突出しており、
該排水口の下縁のレベルは、前記受入室の底部よりも上位であることを特徴とする排水トラップ。
【請求項４】
請求項２又は３において、前記流出口部材は、前記インナーハウジングと一体であることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００３】
この特許第３８８６０５５号の排水トラップにあっては、浴槽排水は、流入口から受入室へ直接に流入するよう構成されている。
【特許文献１】特許第３８８６０５５号
【発明の開示】
【発明が解決しようとする課題】
【０００４】
本発明は、旋回流形成方式の排水トラップにおいて、受入室の下部内周に沿って環状水路を設けることにより、受入室内の旋回流の旋回流速を大きくし、これによりゴミがヘアキャッチャーの中心に効率よく集められると共に、ヘアキャッチャーの浄化作用も強くなるようにした排水トラップを提供することを目的とする。さらに、本発明は、この環状水路内等の清掃も十分に行うことができるようにすることを目的とする。
【課題を解決するための手段】
【０００５】
請求項１の排水トラップは、洗い場排水の受入口を上部に有すると共に、浴槽排水を浴槽排水流入口から略接線方向に受け入れてトラップ内で旋回流を形成させる略円筒形の受入室を有する排水トラップにおいて、該受入室の周壁を構成する円筒形のアウターハウジングと、該アウターハウジングの下部の内周に沿って設けられ、該アウターハウジングとの間に該受入室の周方向に延在する環状水路を形成しているインナーハウジングとを備えており、前記浴槽排水流入口は該環状水路に浴槽排水を流入させるように設けられており、該インナーハウジングに、該環状水路内の水を受入室内に流出させる開口が設けられており、該インナーハウジングは、前記受入口を通って該アウターハウジングに対し着脱可能とされていることを特徴とするものである。
【０００６】
請求項２の排水トラップは、請求項１において、該受入室の底部の中心部に、該受入室内の水を下方に流出させるための、該受入室の内径よりも小さい口径の筒状の流出口部材を設けたことを特徴とするものである。
【０００７】
請求項３の排水トラップは、請求項２において、前記受入室の下側に、水を排水口に導くための導水室が設けられ、該流出口部材の下部は、前記導水室に突出しており、該排水口の下縁のレベルは、前記受入室の底部よりも上位であることを特徴とするものである。
【０００８】
請求項４の排水トラップは、請求項２又は３において、前記流出口部材は、前記インナーと一体であることを特徴とするものである。
【発明の効果】
【０００９】
本発明（請求項１）の排水トラップは、洗い場排水と浴槽排水とを受け入れる旋回流形成方式の排水トラップにおいて、受入室の下部内周に環状水路を設け、浴槽排水を該環状水路に導入して旋回させ、次いで、この環状水路から受入室に流出させるようにしたものである。このように、浴槽排水をまず環状水路に導入して旋回させることにより、受入室内に強力な旋回流を形成することができる。
【００１０】
また、この環状水路を構成するためのインナーハウジングを着脱自在としているため、インナーハウジングを取り外して環状水路内やインナーハウジングを入念に清掃することも可能である。
【００１１】
請求項２の排水トラップは、この受入室の底部の中心部に、受入室内径よりも小口径の流出口を設け、この流出口から水を流出させるように構成したものである。
【００１２】
この排水トラップの受入室内では、水は、旋回により渦状となる。請求項２では、この渦流は、受入室底部中央の小口径の流出口に導かれる。この流出口の口径が受入室の内径よりも小さいので、流出口付近での旋回流速が大きくなる。この結果、受入室への排水流入量が少ない場合でも、受入室内の旋回流速が十分に大きなものとなる。
【００１３】
請求項３の排水トラップにあっては、浴槽排水が流入しない場合、導水室を含めて排水口下縁のレベルまで水が溜まり、封水が形成される。この封水に対して流出口部材が水没した構成となるので、封水不足によるトラップ切れが確実に防止される。
【００１４】
請求項４の排水トラップによると、この流出口部材もインナーハウジングと共に取り外すことができ、流出口部材や導水室内を入念に清掃することができる。
【発明を実施するための最良の形態】
【００１５】
以下、本発明の実施の形態を図面に基づいて説明する。
【００１６】
第１図は排水トラップの正面図、第２図は排水トラップの平面図、第３図は排水トラップの左側面図、第４図は第２図のIV−IV線断面図、第５図は排水トラップの分解断面図、第６図は第１図のVI−VI線断面図、第７図は第４図のVII−VII線断面図、第８図は、実施の形態に係る排水トラップを備えた浴室の概略斜視図である。
【００１７】
第８図の通り、洗い場パン２の浴槽３側に排水枡６が一体形成されている。この排水枡６に対し下側から排水トラップ１０が連結されている。
【００１８】
排水トラップ１０の側面の流入口２８（第１図、第２図、第４図〜第６図）と浴槽３の底面の排水口３ａとが配管４を介して接続されている。
【００１９】
また、排水トラップ１０の上面部には、洗い場２側からの排水が排水枡６を通り流入する洗い場排水受入口Ａ（第４図）が設けられている。排水トラップ１０の流入口２８とほぼ反対側の側面の排水口６０には排水管７が接続されている。
【００２０】
第４図に示すように、排水枡６は洗い場パン２と一体状に凹み状に形成されている。その上面には排水目皿８（第８図）が覆設されている。
【００２１】
排水枡６の底側にはフランジ部材１５がパッキン（図示略）を介して取り付けられ、このフランジ部材１５にネジ込み方式により、排水トラップ１０の上端が取り付けられている。フランジ部材１５を通して排水トラップ１０内に上方から着脱可能にヘアキャッチャー１７が差し込まれている。このヘアキャッチャー１７は、上面が開いたカゴ（篭）状である。
【００２２】
この実施の形態では、ヘアキャッチャー１７は下方側へ向かって縮径する略逆円錐台形状を有する。ヘアキャッチャー１７は、その下端が排水トラップ１０内の封水面Ｗよりも若干（例えば１０ｍｍ以下程度）上方に位置するようにフランジ部材１５に支持されている。なお、ヘアキャッチャー１７は、排水トラップ１０内に形成される旋回流によって上方に押されても浮き上がらないようにフランジ部材１５に係止部１５ａによって係止されている。
【００２３】
排水トラップ１０の構成について次に詳細に説明する。
【００２４】
この排水トラップ１０は、受入室２０と、該受入室２０の下部を周回する環状水路２９と、受入室２０の下側の導水室４０と、該導水室４０から立ち上がる立上室５０と、該立上室５０の側面に開口する排水口６０とから主として構成されている。
【００２５】
受入室２０の上部は、筒軸方向を鉛直方向とした円筒形のアウターハウジング２１にて構成されている。アウターハウジング２１の下部は、外周側へ膨出した形状の大径部２２となっている。この大径部２２に内周側から被さるように環状のインナーハウジング３０が設けられている。アウターハウジング２１及びインナーハウジング３０の内側が受入室２０となっている。大径部２２とインナーハウジング３０との間が環状水路２９となっている。
【００２６】
第５図の通り、大径部２２の下端からは縮径方向に底面部２４が張り出している。この底面部２４は水平な円環板状であり、その板央部に透口２５が設けられている。透口２５に後述のスロート部（流出口部材）３５が挿通されている。
【００２７】
第４，５図に明示される通り、インナーハウジング３０の最上端は、短い円筒状部３１であり、大径部２２の直上のアウターハウジング２１の内周面に当接している。なお、円筒状部３１はアウターハウジング２１の内周面に摺動自在に接しているだけであり、両者は連結されていない。
【００２８】
この円筒状部３１に引き続いている、大径部２２に対面した部分は、下方ほど縮径するテーパ状部３３となっている。このテーパ状部３３には、環状水路２９内を受入室２０内に連通する開口３２が複数個（この実施の形態では２個）、周方向に配置位置を異ならせて設けられている。これらの開口３２は、周方向に延在した長孔よりなる。
【００２９】
インナーハウジング３０の下部からは、縮径方向へ、略水平な略円環板状の底面部３４が張り出している。この底面部３４の内周縁部から、流出口部材としての円筒状のスロート部３５が下方へ突設されている。この実施の形態では、インナーハウジング３０とスロート部３５とは一体成形されている。
【００３０】
このスロート部３５の口径は、受入室２０の最大の内径（この実施の形態では、アウターハウジング２１の大径部２２よりも上側の内径）の２０〜８０％特に３０〜６０％であることが好ましい。
【００３１】
前記導水室４０は、上開容器形のボトムハウジング４１と、該ボトムハウジング４１に被さるリッドプレート４２とによって囲まれている。ボトムハウジング４１及びリッドプレート４２は、スロート部３５から遠ざかる方向に延在している。リッドプレート４２の長手方向の一端側と他端側にそれぞれ開口４２ａ、４２ｂが設けられている。
【００３２】
開口４２ａの上縁部にアウターハウジング２１の底面部２４が重なり、その上にインナーハウジング２２の底面部３４が重なり、スロート部３５が上方から透口２５及び開口４２ａを通って導水室４０内に差し込まれている。底面部３４は底面部２４に対し上方から重なっているだけであり、両者は連結されていない。底面部２４の透口２５の周縁部とリッドプレート４２の開口４２ａの周縁部とは超音波溶着や接着などにより水密的に連結されている。
【００３３】
なお、この実施の形態では、インナーハウジング３０がスロート部３５とを一体化したものとなっており、これらは一体となってアウターハウジング２１の上部から出し入れ自在となっている。従って、洗い場パン２にこの排水トラップ１０を取り付けた後であっても、目皿８及びヘアキャッチャー１７を取り外し、スロート部３５付きインナーハウジング３０を排水トラップ１０外に取り外したり、再装着することができる。
【００３４】
開口４２ｂからは出口ハウジング５１が立設され、この出口ハウジング５１内が前記立上室５０となっている。この立上室５０は、開口４２ｂを介して導水室４０内と連通している。出口ハウジング５１の上部の側面に排水口６０が開口している。この排水口６０の下縁が封水面Ｗとなっている。
【００３５】
このように構成された排水トラップの作動について次に説明する。
【００３６】
水を張った浴槽３の排水口３ａの排水栓を抜くと、浴槽３内の水が流入口２８から排水トラップ１０の環状水路２９内に流入し、旋回方向に流れながら開口３２から受入室２０内に流入し、この受入室２０内に渦状の旋回流を形成する。このように浴槽排水をまず環状水路２９に流入して旋回させながら開口３２を経て受入室２０内に流入さるので、受入室２０内に強力な旋回流が形成される。
【００３７】
受入室２０内の水位は次第に上昇し、ヘアキャッチャー１７あるいはさらに排水枡６が旋回流に浸水した状態となる。これにより、排水枡６の内面やヘアキャッチャー１７に付着しているゴミや毛髪がこすり落とされて、ゴミや髪の毛は渦の中心に集められ、渦の中心から下方へ落下し、ヘアキャッチャー１７の下端の底面中央部に良好に集められる。
【００３８】
受入室２０内で旋回している水の一部は、渦の中心付近からスロート部３５を通って導水室４０へ流出する。その後、水は、立上室５０を経て排水口６０から流出する。
【００３９】
上記のように、受入室２０内の渦状の旋回流が小口径のスロート部３５を経て下方の導水室４０へ流出する。このスロート部３５付近では、旋回半径が受入室２０内における旋回半径よりも小さいため、旋回流速が大きい。この結果、受入室２０内の旋回流も、このスロート部３５付近の高旋回流速に付随して高速となる。この結果、浴槽３の水位が低く流入口３１からの流入水量が少ない場合でも、受入室２０内に強力な旋回流が形成され、ヘアキャッチャー１７や排水枡６が十分に洗浄される。また、ゴミがヘアキャッチャー１７の中心部に効率よく集められる。
【００４０】
特に、この実施の形態では、インナーハウジング３０のテーパ状部３３内周面が下方に向って徐々に縮径するため、受入室２０内の下部の旋回流がスロート部３５に向って連続的に増速しながら流れるようになり、旋回流速が効率よく増速される。
【００４１】
浴槽からすべての水が流出すると、旋回流は停止し、排水トラップ１０内には封水面Ｗのレベルの封水が残る。
【００４２】
これにより、排水管７側と洗い場及び浴槽３側とはいずれも封水によって隔絶されることになり、排水管７の臭気が洗い場や浴槽３へ逆流することが防止される。
【００４３】
なお、この実施の形態では、スロート部３５が下方に延設されているので、スロート部３５及びインナーハウジング３０の封水への浸漬長さが大きく、封水が減少してもトラップ切れしにくい。
【００４４】
この排水トラップ１０は、目皿８及びヘアキャッチャー１７を外してスロート部（流出口部材）３５付きのインナーハウジング３０を上方に取り外し、環状水路３０内や導水室４０内を入念に清掃することができる。もちろん、インナーハウジング３０及びスロート部３５も入念に清掃することができる。
【００４５】
上記実施の形態は本発明の一例であり、本発明は図示以外の態様をもとりうる。例えば、開口３２は１個又は３個以上とされてもよい。また、スロート部３５はインナーハウジング３０と別体とされてもよく、アウターハウジング２１又はリッドプレート４２と一体とされてもよい。
【図面の簡単な説明】
【００４６】
【図１】排水トラップの正面図である。
【図２】排水トラップの平面図である。
【図３】排水トラップの左側面図である。
【図４】図２のIV−IV線断面図である。
【図５】排水トラップの分解断面図である。
【図６】図１のVI−VI線断面図である。
【図７】図４のVII−VII線断面図である。
【図８】実施の形態に係る排水トラップを備えた浴室の斜視図である。
【符号の説明】
【００４７】
３  浴槽
６  排水枡
１０  排水トラップ
１７  ヘアキャッチャー
２０  受入室
２１  アウターハウジング
２２  大径部
２８  流入口
２９  環状水路
３０  インナーハウジング
３２  開口
３５  スロート部
４０  導水室
４１  ボトムハウジング
４２  リッドプレート
５０  立上室
６０  排水口
【図１】
2009121183.tif 000003
【図２】
2009121183.tif 000004
【図３】
2009121183.tif 000005
【図４】
2009121183.tif 000006
【図５】
2009121183.tif 000007
【図６】
2009121183.tif 000008
【図７】
2009121183.tif 000009
【図８】
2009121183.tif 000010